(57)【特許請求の範囲】
【請求項１】
複数のコミュニティ向けに提供する放送波を携帯端末向けに送出する放送局と、
通信回線網に接続され、メッセージの送受信を可能とし、前記複数のコミュニティを提供するサーバと、
前記放送波を再生可能であると共に、通信回線網を介して前記サーバとの間でメッセージを送受信する携帯端末と
を備え、
前記携帯端末は、前記放送局から放送を受信して、内蔵する情報取得部を介して取得した情報に基づき、前記サーバの提供する複数のコミュニティおよび前記コミュニティに対応付けられる放送を、自動的に選択して選局する
ことを特徴とする携帯放送システム。
【請求項２】
同コンテンツをマルチ編成を用いた１チャネルを用いてコミュニティに対応したそれぞれの内容で複数のコミュニティ向けに提供する放送波を携帯端末向けに送出する放送局と、
通信回線網に接続され、メッセージの送受信を可能とし、前記複数のコミュニティを提供するサーバと、
前記放送波を再生可能であると共に、通信回線網を介して前記サーバとの間でメッセージを送受信する携帯端末と
を備え、
前記携帯端末は、前記放送局から放送を受信して、内蔵する情報取得部である２以上のハードウェアモジュールを介して取得した２以上の情報に基づき、前記サーバの提供する複数のコミュニティの一つを選択し、選択されたコミュニティに基づいて、１チャネル中の所定のマルチ編成チャネルを選択する
ことを特徴とする携帯放送システム。
【請求項３】
前記携帯端末に内蔵される情報取得部は測位手段であって、
前記携帯端末は、前記放送局から放送を受信して、前記測位手段を介して取得した位置情報に基づき、前記サーバの提供する複数のコミュニティおよび前記コミュニティに対応付けられる放送を、自動的に選択して選局する
ことを特徴とする請求項１又は２記載の携帯放送システム。
【請求項４】
前記携帯端末に内蔵される情報取得部はＲＦＩＤ部であって、
前記携帯端末は、前記放送局から放送を受信して、前記ＲＦＩＤ部に記録されている情報に基づき、前記サーバの提供する複数のコミュニティおよび前記コミュニティに対応付けられる放送を、自動的に選択して選局する
ことを特徴とする請求項１又は２記載の携帯放送システム。
【請求項５】
前記携帯端末に内蔵される情報取得部は撮像部であって、
前記携帯端末は、前記放送局から放送を受信して、前記撮像部を用いて取得した画像情報に基づき、前記サーバの提供する複数のコミュニティおよび前記コミュニティに対応付けられる放送を、自動的に選択して選局する
ことを特徴とする請求項１又は２記載の携帯放送システム。
【請求項６】
前記携帯端末においてコミュニティの選択に用いられる情報は、電子チケット又は紙状チケットから取得される
ことを特徴とする請求項４又は５に記載の携帯放送システム。
【請求項７】
前記放送局は、エリア限定放送を行う放送局であり、複数のコミュニティに対して放送波が到達するエリアを地理的に割当て、それぞれ地理的に割けられて当てられたコミュニティに異なる放送を提供し、
前記サーバは、前記地理的に割当てられたコミュニティに対して、それぞれコミュニティの場を提供し、
前記携帯端末は、前記情報取得部を介して、現在位置から位置情報と電子チケット又は紙状チケットからランク情報を取得し、位置情報及びランク情報をコミュニティの選択に用いられる情報として用いてコミュニティを選択する
ことを特徴とする請求項６記載の携帯放送システム。
【請求項８】
前記放送局は、ＩＳＤＢ−Ｔｍｍ放送を行う放送局であり、リアルタイム的に視聴されるストリーム形式コンテンツとダウンロード形式の暗号化されたコンテンツとを放送し、
前記サーバは、コミュニティを介して、前記放送局から放送されたストリーム形式コンテンツの所定条件を満たす視聴者に対して、前記暗号化されたコンテンツの復号化キーを提供可能し、
前記携帯端末は、前記情報取得部を介して取得される情報からコミュニティを選択し、選択したコミュニティに対応付けられた前記ストリーム形式コンテンツを再生すると共に、前記サーバから前記暗号化されたコンテンツの復号化キーを取得しできた場合に、前記ダウンロード形式の暗号化されたコンテンツを視聴者に提供する
ことを特徴とする請求項１記載の携帯放送システム。
【請求項９】
複数のコミュニティ向けに提供する放送波を携帯端末向けに送出する放送局から放送を受信するチューナと、
内蔵するハードウェアである情報取得部を介して取得した情報に基づき、通信回線網に接続され携帯端末とメッセージの送受信を可能として前記複数のコミュニティを提供するサーバが提供している一つのコミュニティを選択すると共に、前記選択したコミュニティに対応付けられている放送を選局するように前記チューナを制御する制御部と
を有することを特徴とする携帯端末。
【請求項１０】
同コンテンツをマルチ編成を用いた１チャネルを用いてコミュニティに対応したそれぞれの内容で複数のコミュニティ向けに提供する放送波を携帯端末向けに送出する放送局から放送を受信するチューナと、
情報取得部である内蔵する２以上のハードウェアモジュールを介して取得した２以上の情報に基づき、通信回線網に接続され携帯端末とメッセージの送受信を可能として前記複数のコミュニティを提供するサーバが提供している一つのコミュニティを選択すると共に、前記選択したコミュニティに対応付けられている１チャネル中の所定のマルチ編成チャネルを選局するように前記チューナを制御する制御部と
ことを特徴とする携帯端末。
【請求項１１】
複数のコミュニティ向けに提供する放送波を携帯端末向けに送出する放送局から放送を受信し、
内蔵する情報取得部を介して取得した情報に基づき、通信回線網に接続されメッセージの送受信を可能とし前記複数のコミュニティを提供するサーバが提供している一つのコミュニティを選択し、
前記選択したコミュニティに対応付けられる放送を、自動的に選択して選局する
ことを特徴とする携帯端末のコミュニティ選択方法。
【請求項１２】
同コンテンツをマルチ編成を用いた１チャネルを用いてコミュニティに対応したそれぞれの内容で複数のコミュニティ向けに提供する放送波を携帯端末向けに送出する放送局から放送を受信し、
内蔵する情報取得部である２以上のハードウェアモジュールを介して取得した２以上の情報に基づき、通信回線網に接続されてメッセージの送受信を可能として前記複数のコミュニティを提供するサーバが提供している複数のコミュニティの一つを選択し、
選択されたコミュニティに基づいて、１チャネル中の所定のマルチ編成チャネルを選択する
ことを特徴とする携帯端末のコミュニティ選択方法。
【発明の詳細な説明】
【技術分野】
【０００１】
本発明は、携帯端末向け放送を受信可能である携帯端末に対して、所望のコミュニティを選択する携帯放送システム、携帯端末、およびコミュニティ選択方法に関する。
【背景技術】
【０００２】
現在あるデジタル放送のコンテンツを視聴中にメッセージを共有サービスは、同一コンテンツを視聴しているすべての視聴者とのコミュニケーションを行うものである。しかし、必ずしもすべてのコンテンツ視聴者とメッセージを共有したくない場合がある。
【０００３】
スポーツ中継を例とすると、Ａチームを応援している不特定多数の視聴者群（コミュニティＡ）、Ｂチームを応援している不特定多数の視聴者群（コミュニティＢ）、どちらにも属さない中立の立場（コミュニティＣ）等のコミュニティがあると予想できる。すべてのコンテンツ視聴者とメッセージを共有した場合、コミュニティＡからＡチームを応援するメッセージが投稿された場合、コミュニティＢにもこのメッセージが配信されることになる。Ｂチームを応援するコミュニティＢに属する人にとっては、Ａチームへの応援メッセージは不快と感じられる可能性がある。
【０００４】
上記のような背景から、ユーザが同一コミュニティの視聴者に限定してメッセージを共有できる仕組みが必要になると考えられる。同一コミュニティ内に限定してメッセージを共有することで、感情共有がしやすくなり、メッセージングサービスをより楽しむことができるようになると考えられる。
【０００５】
このような課題に取組んだ発明は、例えば特許文献１に記載されている。特許文献１には、テレビジョン放送を送信する放送局と、放送局から送信されるテレビジョン放送毎（コンテンツ毎：チャネル毎）に複数の属性の異なるコミュニケーションの場（チャットルーム）を準備し、テレビジョン通信端末（受信機）を使用する視聴者の属性とを比較一致をとり、再生しているテレビジョン放送と視聴者の属性情報から、視聴者に最適なコミュニケーションの場を提供する。
【先行技術文献】
【特許文献】
【０００６】
【特許文献１】特開２００３−３２６５７号公報
【発明の概要】
【発明が解決しようとする課題】
【０００７】
ところで、引用文献１に記載された発明は、一つのテレビチャンネルに対して複数のコミュニティの場を用意し、受信するテレビチャンネルをユーザに設定・選局させることで選局したテレビチャンネルに対応付けられたコミュニティの場から、登録済みの属性に一致するコミュニケーションの場を選択している。  
この場合、テレビチャンネルを自分で選局する必要があり手間がかかる。属性を設定して絞り込むとされているが、その場合も視聴者が属性を登録しなければならず手間がかかる。
【０００８】
本発明は、上記課題に鑑みて成されたものであり、コミュニティ毎にメッセージの交換を行なえるテレビ放送を、所望する属性を登録することなく選択できる携帯放送システムを提供することを目的とする。
【課題を解決するための手段】
【０００９】
本発明に係る携帯放送システムは、複数のコミュニティ向けに提供する放送波を携帯端末向けに送出する放送局と、通信回線網に接続され、メッセージの送受信を可能とし、前記複数のコミュニティを提供するサーバと、前記放送波を再生可能であると共に、通信回線網を介して前記サーバとの間でメッセージを送受信する携帯端末とを備え、前記携帯端末は、前記放送局から放送を受信して、内蔵するハードウェアを介して取得した情報に基づき、前記サーバの提供する複数のコミュニティおよび前記コミュニティに対応付けられる放送を、自動的に選択して選局することを特徴とする。
【発明の効果】
【００１０】
本発明によれば、コミュニティ毎にメッセージの交換を行なえるテレビ放送を、所望する属性を登録することなく選択できる携帯放送システムを提供できる。
【図面の簡単な説明】
【００１１】
【図１】実施の形態における携帯向けの放送システムを概略的に示す説明図である。
【図２】携帯端末を概略的に示すブロック図である。
【図３】携帯端末の動作を示すフローチャートである。
【図４】第１の実施例の構成及び動作を概略的に示す説明図である。
【発明を実施するための形態】
【００１２】
本発明の実施の形態を図１ないし図３に基づいて説明する。
【００１３】
図１は、実施の形態における携帯向けの放送システムを概略的に示す説明図である。放送システムは、映像、音響、データを放送として送出する放送局１０とコミュニティを提供するサーバ２０、放送受信しコミュニティ利用する携帯端末１００とで構成される。
【００１４】
放送局１０は、すくなくともサーバ２０の提供する複数のコミュニティに対応した番組コンテンツを放送波に載せて送出する。また、放送局１０は、必要に応じて、放送事業者がマルチ編成を用いてコミュニティに対応した形態に変化を付けた番組を放送する。例えば、カメラアングルや、コメンテェータ、データ放送の内容などが異なるように放送する。
【００１５】
サーバ２０は、携帯端末１００と通信網を介して接続可能であり、放送局１０が放送している番組コンテンツに対応したコミュニティの場を提供する。コミュニティは、１番組に対して複数提供される。
【００１６】
放送局１０及びサーバ２０は、複数あるコミュニティの個々とチャネル及びサブチャネルの対応関係を保有し、携帯端末１００に対して、データ放送及び／又はデータ通信によって報知する。
【００１７】
図２は、携帯端末１００を概略的に示すブロック図である。  
携帯端末１００は、制御部１１０、通信部１２０、記憶部１３０、キーパットや表示部等の入出力部１４０を備え。且つデジタルテレビ放送やワンセグ放送などを受信するチューナ１４０を備える。また、携帯端末１００は、情報取得部１６０を介して、番組を選局するための情報を取得する。
【００１８】
制御部１１０は、記憶部１３０に記録されている各種プログラムによって、携帯端末を統括的に制御する。通信部１２０は、移動体通信規格に基づき、基地局や通信回線網を介してサーバ２０と通信可能とする。尚、基地局やコアネットワークに含まれるゲートウェイ等の動作は、記載を省略する。
【００１９】
情報取得部１６０は、一般的な携帯端末に搭載されているハードウェアを用いて実現される。例示すれば、ＧＰＳモジュールやカメラモジュール、ＲＦＩＤの一つであるFeliCa（登録商標）モジュール、TransferJet（登録商標）モジュールなどが挙げられる。
【００２０】
制御部１１０は、例えば、情報取得部１６０としてＧＰＳモジュールを用いて現在位置を取得し、コミュニティとチャネル対応関係の情報と位置情報とを比較して、一致するチャネルを再生するようにチューナ１５０を制御する。
【００２１】
また、別の例では、制御部１１０は、情報取得部１６０としてカメラモジュールを用い所定の被写体から選択に用いる情報を取得し、コミュニティとチャネル対応関係の情報と選択に用いる情報とを比較して、一致するチャネルを再生するようにチューナ１５０を制御する。
【００２２】
また、別の例では、制御部１１０は、情報取得部１６０としてFeliCaモジュールを用い予め配置してあるリーダまたはFeliCaモジュール内の記憶部から選択に用いる情報を取得し、コミュニティとチャネル対応関係の情報と選択に用いる情報とを比較して、一致するチャネルを再生するようにチューナ１５０を制御する。
【００２３】
なお、携帯端末１００には、上記情報取得部１６０を複数備えているものも多く、その組み合わせから、選択するコミュニティを決定するようにしてもよい。
【００２４】
換言すれば、携帯端末１００は、放送局１０から放送を受信して、内蔵するハードウェアを介して取得した情報に基づき、サーバ２０の提供する複数のコミュニティおよびコミュニティに対応付けられる放送を、自動的に選択して選局する。
【００２５】
次に、放送システムの動作を説明する。  
図３は、携帯端末１００の動作を示すフローチャートである。  
携帯端末１００の制御部１１０は、使用者のコミュニティへのアクセス指示を受け、放送局１０のデータ放送又はサーバ２０との通信によって、コミュニティとチャネルとの関連付けを示す情報を取得する（ステップＳ１０１）。  
制御部１１０は、使用者の操作によって、情報取得部１６０を介して、コミュニティの選択に用いる情報を取得する（ステップＳ１０２）。このとき、情報取得部１６０から取得した情報を、制御部１１０は、コミュニティとチャネルとの関連付けを示す情報と対比可能に、取得した情報を加工処理する。  
例えば、ＧＰＳモジュールの場合には、緯度経度を算出する。また、カメラモジュールの場合には、画像解析によって予め読みこむべき情報として記載された文字や画像、バーコードなどを取得する。また、ＲＦＩＤモジュールの場合には、ＲＦＩＤモジュールの記憶部に記録されている所定領域の予め読みこむべき情報として記載された文字や数字などを取得する。また、これらの情報を複数のモジュールからそれぞれ読みこんでも良い。  
尚、ステップＳ１０１とステップＳ１０２の処理は、同時的に行えばよく、何れを先に行なってもよい。  
制御部１１０は、コミュニティとチャネルとの関連付けを示す情報と、コミュニティの選択に用いる情報とを比較し、使用者に提示する合致したコミュニティを選択する（ステップＳ１０３）。  
制御部１１０は、チューナ１５０を制御し、合致したコミュニティに対応付けられチャネルを選局する（ステップＳ１０４）。  
その後、制御部１１０は、使用者のコミュニティを介するコミュニケーションをサーバ２０との間で制御する（ステップＳ１０５）。
【００２６】
以上説明したように、本発明の放送システムによれば、コミュニティ毎にメッセージ等の交換を行なえるテレビ放送を、所望する属性を登録することなく選択できる携帯放送システムを提供できる。
【００２７】
次に、複数の実施例を示し、上記実施の形態を説明する。  
【実施例１】
【００２８】
図４は、第１の実施例の構成及び動作を概略的に示す説明図である。  
第１の実施例は、説明のため、コミュニティ放送局から１つのチャネルでマルチ編成によって放送されるコンテンツＡのそれぞれのサブチャンネルをＡ−１、Ａ−２、Ａ−３と呼ぶ。  
このサブチャンネルは、それぞれコミュニティに割り当てられて利用される。例えば、Ａ−１はコミュニティＡ用、Ａ−２はコミュニティＢ用、Ａ−３はコミュニティＡとコミュニティＢの両方に属する視聴者用とする。  
携帯端末が例えばコミュニティＢに接続した後は、利用者がＡ−２サブチャネルを視聴しつつメッセージを投稿した場合、携帯端末１００はメッセージを共有するサーバ２０宛に使用者が投稿したメッセージと視聴中のサブチャンネル（Ａ−２）の情報をセットで送信する。サーバ２０は、携帯端末１００から送付された情報をセットで保存する。サーバ２０に保存された情報は、コミュニティ内で共有され、所定のタイミングで携帯端末１００に対して配信される。なお、携帯端末１００から、所定のタイミングで取得するようにしてもよい。  
このような前提のもと、携帯端末は、内蔵するチューナ及び情報取得部として機能させるＧＰＳモジュールを制御し、放送局から放送を受信して、ＧＰＳモジュールを用いて取得した位置情報に基づき、サーバの提供する複数のコミュニティおよびコミュニティに対応付けられる放送を、自動的に選択して選局する。即ち、携帯端末の制御部において、利用者に属性情報を入力させることなく、位置情報を利用して接続するコミュニティ及び受信するチャンネルを自動判断する。  
例えば、スポーツ観戦時のスタジアムでエリア限定放送を受信している場合を想定すれば、同一のチームを応援している人同士の席がかたまっていることが多いため、位置情報を利用してユーザの応援するチームのコミュニティを推測し、該当のチャンネルを自動で選局する。  
このように携帯端末を制御することによって、携帯端末は、放送局から放送を受信して、測位手段を介して取得した位置情報に基づき、サーバの提供する複数のコミュニティおよびコミュニティに対応付けられる放送を自動的に選択して選局できる。即ち、使用者に対して、使用者が接続するコミュニティやチャネルを意識することなく、適切なコミュニティ手段を提供できる。
【実施例２】
【００２９】
第１の実施例では位置情報に基づいて携帯端末を制御したが、第２の実施例では、携帯端末が内蔵する２以上のハードウェアモジュールを介して取得した２以上の情報に基づき、サーバの提供する複数のコミュニティの一つを選択する。  
例示すれば、携帯端末は、ＧＰＳモジュールとFeliCaモジュールを用いて、位置情報とFeliCaモジュールの記憶部に記録されているコミュニティの選択に用いられる情報を取得し、サーバの提供する複数のコミュニティの一つを選択し、選択されたコミュニティに基づいて、所定のチャネルを選択する。  
ここで、コミュニティの選択に用いられる情報とは、携帯端末がアクセスするコミュニティの切り分けに読取る情報であって、放送事業者などが設定するコミュニティとチャネルとの関連を示す情報と対応する。例えば、FeliCaモジュールから鉄道の定期券の情報を読み出すこととすれば、定期の始発終着駅をコミュニティの選択に用いられる情報として読み込む。また、他の例では、FeliCaモジュールの記憶部に記録されている電子チケットの内容を、コミュニティの選択に用いられる情報として取得してもよい。  
このように携帯端末においてコミュニティの選択に用いる情報を２つの情報取得部から取得することで、放送事業者等がより細かに携帯端末の接続するコミュニティを設定できる。  
一例としては、Ａチームの応援席にいて、且つ有料チケットの購入者には、Ａチーム用のコミュニティに自動的に接続できるように、放送システムを構築できる。同様に、Ｂチームの応援席にいて、且つプラチナチケットの購入者には、Ｂチーム用の解説者などと直接会話できるコミュニティに自動的に接続できるように、放送システムを構築できる。また、別の例では、チケットのユニーク番号を取得して、解説者などと直接会話できるコミュニケーションの場および放送を楽しむことが可能となる。  
尚、本実施例は、FeliCaモジュールに換えて、撮像部から同様の情報を取得してもよい。具体的には、撮像部を介して、紙状チケットなどから画像情報を取得し、取得した画像情報を識別して上記各種情報を取得する。このとき、合わせて位置情報を用いてもよいし、用いなくてもよい。  
このように、携帯端末が、撮像部を用いて取得した画像情報に基づき、サーバの提供する複数のコミュニティおよびコミュニティに対応付けられる放送を、自動的に選択して選局する仕組みを構築することで、放送事業者などが細やかなサービスを実現可能とできる。例えば、携帯放送システムとして、エリア限定放送を行う放送局が、複数のコミュニティに対して放送波が到達するエリアを地理的に割当て、それぞれ地理的に割けられて当てられたコミュニティに異なる放送を提供し、サーバが地理的に割当てられたコミュニティに対してそれぞれコミュニティの場を提供し、携帯端末において、情報取得部を介して、現在位置を示す位置情報と電子チケット又は紙状チケットから提供されるサービスのランクをランク情報として取得し、位置情報及びランク情報をコミュニティの選択に用いられる情報として用いてコミュニティを選択するようにすれば良い。
【実施例３】
【００３０】
第３の実施例は、更に細やかなサービスを提供できる携帯放送システムを説明する。  
放送局は、ＩＳＤＢ−Ｔｍｍ放送を行う放送局であり、リアルタイム的に視聴されるストリーム形式コンテンツと前記ストリーム形式コンテンツに関連するダウンロード形式の暗号化されたコンテンツとを同時的に放送する。  
サーバは、コミュニティを介して、放送局から放送されたストリーム形式コンテンツの所定条件を満たす視聴者に対して、暗号化されたコンテンツの復号化キーを提供可能する。復号化キーは、コミュニティに接続する管理者側の人間が指定の携帯端末に提供するようにしても良いし、例えば、ストリーム形式コンテンツの所定タイミングを視聴した端末（所定時刻にコミュニティに属した端末）に提供するようにしてもよい。提供方法は、ＨＴＭＬのタグ等を使用すればよい。  
このように、放送局とサーバを構成することで、携帯端末が、情報取得部を介して取得される情報からコミュニティを選択し、選択したコミュニティに対応付けられたストリーム形式コンテンツを再生すると共に、サーバから暗号化されたコンテンツの復号化キーを取得できたとすれば、利用者は、携帯端末を介して、ダウンロード形式の暗号化されたコンテンツの内容を取得できる。なお、このとき携帯端末では、制御部によってチューナが制御され、ストリーム形式コンテンツのセグメントと前記ストリーム形式コンテンツに関連するダウンロード形式の暗号化されたコンテンツのセグメントが受信される。
【００３１】
また、放送局は、例えば、優良利用者に対して、付加価値の高いコンテンツを提供することや、ダウンロード形式の暗号化されたコンテンツを商品とした所謂懸賞のようなサービスを実現できる。  
利用例とすれば、放送局からＩＳＤＢ−Ｔｍｍ放送を使用して、ストリーム形式コンテンツでチームＡ、チームＢのコミュニティに対応付けられた放送を２セグメントずつ利用して放送すると共に、次回の入場券やチームＡの画像、動画などをダウンロード形式の暗号化されたコンテンツをそれぞれ複数セグメント使用して残りの９セグメントを使用して放送する。  
携帯端末は、情報取得部を介して取得されるコミュニティの選択に用いられる情報からコミュニティＡを選択してサーバに接続すると共に、選択したコミュニティに対応付けられたストリーム形式コンテンツＡを選択再生する。
【００３２】
チームＡのコミュニティ内では、例えば、チケット購入者が、ストリーム形式コンテンツＡを再生しつつ、コミュニティ内で提供される懸賞に応募したとすれば、サーバが携帯端末から位置情報などのコミュニティの選択に用いられる情報を取得して、前記懸賞の商品の何れかの復号化キーをコミュニティの選択に用いられる情報に基づいて提供する。もちろんランダムで復号化キーを提供してもよい。  
携帯端末は、サーバを介して、暗号化されたコンテンツの復号化キーを取得したので、ダウンロード済みの暗号化されたコンテンツの中から復号化キーに合致するコンテンツを選択再生して、視聴者に懸賞で当たったコンテンツ（次回の入場券や画像、動画の何れか）を提示する。このとき、携帯端末の制御部において、コミュニティに対応した部分のみのコンテンツを再生するようにしてもよい。例えば、放送局から１セグメントを使用して、チームＡのプレゼント画像とチームＢのプレゼント画像が放送されている場合、コミュニティＡに属している携帯端末はコミュニティＡに対応したチームＡのプレゼント画像のみ再生する。即ち、復号化キーを、１コンテンツに含まれる複数の景品（データ内容）に対して共有して利用してもよい。このとき、コミュニティの選択に用いられる情報（現在位置を示す位置情報やチケットから取得したランク情報）として使用した情報毎に、再生するデータ内容を利用者に認知させること無く選択するようにしてもよい。
【００３３】
以上説明したように、例えば、予めコミュニティへの自動アクセスが設定されたサイトへのアクセスや、同様の設定を送信するFeliCa端末などへの接触、利用者のコミュニティへの接続操作などを受けて、携帯端末が接続するコミュニティを、携帯端末が内蔵するハードウェアを介して取得した情報に基づき、サーバの提供する複数のコミュニティおよびコミュニティに対応付けられる放送を、自動的に選択して選局することで、コミュニティ用のチャンネルを自分で選局する必要が無く、加えて、属性を設定する必要も無く、利用者にとって簡単且つ明瞭な放送システムを提供できる。  
また、放送事業者などにとっても、きめ細かくサービスを調整できる。  
即ち、本発明によれば、コミュニティ毎にメッセージ等の交換を行なえるテレビ放送を、所望する属性を登録することなく選択できる携帯放送システムを提供できる。
【００３４】
尚、本発明の具体的な構成は前述の実施の形態に限られるものではなく、この発明の要旨を逸脱しない範囲の変更があってもこの発明に含まれる。  
例えば、上記説明では、１番組を複数のサブチャネルを用いて各コミュニティに割当てたが、複数のチャネルを同一の番組に割当てるようにしても良い。
【符号の説明】
【００３５】
１０    放送局
２０    サーバ（コミュニティ用サーバ）
１００  携帯端末
【図１】
0005429473.tif 000002
【図２】
0005429473.tif 000003
【図３】
0005429473.tif 000004
【図４】
0005429473.tif 000005